(57)【要約】  本発明における情報処理端末は、タッチパネル型表示装置１００と、タッチパネル型表示装置に対する表示状態を制御する制御装置１２０と、タッチパネル型表示装置に対する特定位置を検出する位置検出手段１３０と、を備え、上記制御装置１２０は、位置検出手段１３０にて検出した操作者の位置とタッチパネル型表示装置上における表示データが占める表示領域との距離に応じて、当該表示データの表示状態を変化させる表示制御部１２１を備えた、という構成を取る。
2013046596.tif 000002
【特許請求の範囲】
【請求項１】
タッチパネル型表示装置と、
前記タッチパネル型表示装置に対する表示状態を制御する制御装置と、
前記タッチパネル型表示装置に対する特定位置を検出する位置検出手段と、を備え、
前記制御装置は、前記位置検出手段にて検出した特定位置と前記タッチパネル型表示装置上における表示データが占める表示領域との距離に応じて、当該表示データの表示状態を変化させる表示制御部を備えた、
情報処理端末。
【請求項２】
請求項１に記載の情報処理端末であって、
前記表示制御部は、前記特定位置から前記表示データに対する前記距離の方向における前記表示領域上の遠位及び近位となる位置を決定し、前記遠位から前記近位にかけて表示状態を異ならせて表示する、
情報処理端末。
【請求項３】
請求項２に記載の情報処理端末であって、
前記表示制御部は、前記タッチパネル型表示装置に表示される複数個の表示データそれぞれが占める前記表示領域上の、前記距離の方向における遠位及び近位となる位置を決定する、
情報処理端末。
【請求項４】
請求項２又は３に記載の情報処理端末であって、
前記表示制御部は、前記表示データのデータサイズの比率を、前記遠位から前記近位にかけて縮小して表示、あるいは、前記近位から前記遠位にかけて拡大して表示する、
情報処理端末。
【請求項５】
請求項１乃至４のいずれかに記載の情報処理端末であって、
前記表示制御部は、前記タッチパネル型表示装置に表示される表示データの表示領域の近傍に表示する陰影表示データが占める表示領域を、前記距離に応じて変更する、
情報処理端末。
【請求項６】
請求項１乃至５のいずれかに記載の情報処理端末であって、
前記表示制御部は、前記タッチパネル型表示装置に表示される表示データの表示領域の近傍に表示する立体表示の高さを、前記距離に応じて変更する、
情報処理端末。
【請求項７】
請求項１乃至６のいずれかに記載の情報処理端末であって、
前記表示制御部は、前記タッチパネル型表示装置に表示される表示データの表示色の濃度を、前記距離に応じて変更する、
情報処理端末。
【請求項８】
請求項１乃至７のいずれかに記載の情報処理端末であって、
前記表示制御部は、前記タッチパネル型表示装置に表示される表示データの表示色の輝度を、前記距離に応じて変更する、
情報処理端末。
【請求項９】
請求項１乃至８のいずれかに記載の情報処理端末であって、
前記表示制御部は、前記タッチパネル型表示装置の表示面に対する、前記位置検出手段にて検出した前記特定位置から前記タッチパネル型表示装置上における表示データの表示位置への角度に応じて、当該表示データの表示状態を変化させて表示する、
情報処理端末。
【請求項１０】
請求項１乃至９のいずれかに記載の情報処理端末であって、
前記制御装置は、前記タッチパネル型表示装置に対する接触入力を検出する接触検出部を備え、
前記接触検出部は、前記表示制御部による前記表示データの表示状態の変化に応じて当該表示データに対する接触入力を検出する範囲を変更する、
情報処理端末。
【請求項１１】
請求項１乃至１０のいずれかに記載の情報処理端末であって、
前記制御装置は、前記タッチパネル型表示装置に対する接触入力を検出する接触検出部を備え、
前記接触検出部は、前記位置検出手段にて検出した前記特定位置と前記タッチパネル型表示装置上における表示データの表示位置との距離に応じて、前記タッチパネル型表示装置に対する接触入力を検出する感度を変更する、
情報処理端末。
【請求項１２】
請求項１乃至１１のいずれかに記載の情報処理端末であって、
前記タッチパネル型表示装置の表示面が予め設定された基準における水平状態であることを検出する水平状態検出手段を備え、
前記表示制御部は、前記水平状態検出手段にて前記タッチパネル型表示装置が水平状態である場合に、前記表示データの表示状態を変化させて表示する、
情報処理端末。
【請求項１３】
請求項１乃至１２のいずれかに記載の情報処理端末であって、
前記位置検出手段は、前記特定位置に存在する予め設定された特定の人物を検出し、
前記表示制御部は、前記位置検出手段によって検出された前記特定の人物の位置と前記タッチパネル型表示装置上における表示データの表示位置との距離に応じて、当該表示データの表示状態を変化させる、
情報処理端末。
【請求項１４】
タッチパネル型表示装置を備えた情報処理端末に、
前記タッチパネル型表示装置に対する特定位置を検出する位置検出手段と、
前記タッチパネル型表示装置に対する表示状態を制御すると共に、前記位置検出手段にて検出した特定位置と前記タッチパネル型表示装置上における表示データが占める表示領域との距離に応じて、当該表示データの表示状態を変化させる表示制御部と、
を実現させるためのプログラム。
【請求項１５】
請求項１４に記載のプログラムであって、
前記表示制御部は、前記特定位置から前記表示データに対する前記距離の方向における前記表示領域上の遠位及び近位となる位置を決定し、前記遠位から前記近位にかけて表示状態を異ならせて表示する、
プログラム。
【請求項１６】
タッチパネル型表示装置を備えた情報処理端末が、
前記タッチパネル型表示装置に対する特定位置を検出し、
検出した特定位置と前記タッチパネル型表示装置上における表示データが占める表示領域との距離に応じて、当該タッチパネル型表示装置に対する表示データの表示状態を変化させる、
表示制御方法。
【請求項１７】
請求項１６に記載の表示制御方法であって、
前記特定位置から前記表示データに対する前記距離の方向における前記表示領域上の遠位及び近位となる位置を決定し、前記遠位から前記近位にかけて表示状態を異ならせて表示する、
表示制御方法。
【発明の詳細な説明】
【技術分野】
【０００１】
本発明は、携帯型情報処理端末にかかり、特に、タッチパネルを有する携帯型情報処理端末に関する。
【背景技術】
【０００２】
近年、タッチ式入力装置と表示装置とが一体化されたタッチパネルを備えた携帯電話機などの携帯型情報処理端末が普及している。このような携帯型情報処理端末では、入力装置が表示装置でもあるため、タッチパネル上に任意の入力キーを表示することができる。例えば、携帯型情報処理端末の略長方形状であるタッチパネルの向きが、縦向きか横向きであるかを検出し、これに合わせてキーの向きを変化させて表示させることができる。なお、関連する技術として、特許文献１の技術があり、携帯端末の使用者の顔を撮影して当該利用者の向きを検出し、それに応じて表示部の表示向きを制御する、という技術が開示されている。
【先行技術文献】
【特許文献】
【０００３】
【特許文献１】特開２００７−１７５９６号公報
【発明の概要】
【発明が解決しようとする課題】
【０００４】
ここで、上述したようにタッチ式入力装置と表示装置とが一体化されたタッチパネルを備えた携帯電話機は、机の面の上など、水平に配置して使用することがある。このような場合、使用者がタッチパネルである画面の真上から操作する場合には、画面に表示されたキーなどを視認しやすいが、画面に対して横方向つまり水平方向から使用者が操作する場合には、画面に表示されたキーなどを視認しづらく、操作性が低下する、という問題が生じる。【０００５】
このため、本発明の目的は、上述した課題である、タッチパネル型表示装置を搭載した情報処理端末の視認性及び操作性の低下、を改善することにある。
【課題を解決するための手段】
【０００６】
本発明の一形態である情報処理端末は、
タッチパネル型表示装置と、
前記タッチパネル型表示装置に対する表示状態を制御する制御装置と、
前記タッチパネル型表示装置に対する特定位置を検出する位置検出手段と、を備え、
前記制御装置は、前記位置検出手段にて検出した特定位置と前記タッチパネル型表示装置上における表示データが占める表示領域との距離に応じて、当該表示データの表示状態を変化させる表示制御部を備えた、
という構成を取る。【０００７】
また、本発明の他の形態であるプログラムは、
タッチパネル型表示装置を備えた情報処理端末に、
前記タッチパネル型表示装置に対する特定位置を検出する位置検出手段と、
前記タッチパネル型表示装置に対する表示状態を制御すると共に、前記位置検出手段にて検出した特定位置と前記タッチパネル型表示装置上における表示データが占める表示領域との距離に応じて、当該表示データの表示状態を変化させる表示制御部と、
を実現させるためのプログラムである。【０００８】
また、本発明の他の形態である表示制御方法は、
タッチパネル型表示装置を備えた情報処理端末が、
前記タッチパネル型表示装置に対する特定位置を検出し、
検出した特定位置と前記タッチパネル型表示装置上における表示データが占める表示領域との距離に応じて、当該タッチパネル型表示装置に対する表示データの表示状態を変化させる、
という構成を取る。
【発明の効果】
【０００９】
本発明は、以上のように構成されることにより、タッチパネル型表示装置を搭載した情報処理端末の操作性の向上を図ることができる。
【図面の簡単な説明】
【００１０】
【図１】実施形態１における携帯端末の外観を示す図である。
【図２】実施形態１における携帯端末の構成を示すブロック図である。
【図３】実施形態１における携帯端末による操作者を認識する動作を説明するための図である。
【図４】実施形態１における携帯端末による操作者を認識する動作を説明するための図である。
【図５】実施形態１における携帯端末による表示画面の表示例を示す図である。
【図６】実施形態１における携帯端末による表示画面の表示例を示す図である。
【図７】実施形態１における携帯端末の動作を示すフローチャートである。
【図８】実施形態２における携帯端末による表示画面の表示例を示す図である。
【図９】実施形態３における携帯端末による表示画面の表示例を示す図である。
【図１０】実施形態４における携帯端末による表示画面の表示例を示す図である。
【図１１】実施形態４における携帯端末の動作を示すフローチャートである。
【図１２】実施形態５における携帯端末の外観を示す図である。
【図１３】実施形態５における携帯端末による操作者を認識する動作を説明するための図である。
【図１４】実施形態５における携帯端末による操作者を認識する動作を説明するための図である。
【図１５】実施形態５における携帯端末の動作を示すフローチャートである。
【図１６】実施形態６における携帯端末による操作者を認識する動作を説明するための図である。
【図１７】実施形態６における携帯端末による表示画面の表示例を示す図である。
【図１８】実施形態７における携帯端末による操作者を認識する動作を説明するための図である。
【図１９】実施形態８における携帯端末における接触入力の感度設定について説明するための図である。
【図２０】本発明の付記１における情報処理端末の構成を示す機能ブロック図である。
【発明を実施するための形態】
【００１１】
＜実施形態１＞
本発明の第１の実施形態を、図１乃至図７を参照して説明する。図１乃至図２は、本実施形態における携帯端末の構成を示す図である。図３乃至図４は、携帯端末による操作者を認識する動作を説明する図である。図５乃至図６は、携帯端末による表示画面の表示例を示す図であり、図７は、携帯端末の動作を示すフローチャートである。
【００１２】
［構成］
図１は、本発明における携帯端末１の外観を示す図であり、図１（Ａ），（Ｂ）は、それぞれ携帯端末１の一方の面（表面）と他方の面（裏面）から見た外観を示している。また、図２は、携帯端末１の回路構成を示すブロック図である。
【００１３】
図２に示すように、携帯端末１は、中央処理装置であるCPU１５と、各種データを記憶する記憶装置であるFlash ROM１６及びRAM１７と、を備えた一般的な情報処理端末である。なお、CPU１５は、後述するように、バスを介して端末内の各回路や装置と接続されている。また、上記Flash ROM１６は、CPU１５が実行するための各種の制御用プログラムやユーザ・データなどを格納した書き換え可能なストレージ・メモリである。また、RAM１７（ランダムアクセスメモリ）は、CPU１５がプログラムを実行する上で一時的に必要とされるデータを格納する作業用メモリである。
【００１４】
なお、本実施形態では、携帯端末１は、いわゆるスマートフォンといった携帯電話端末である場合を例示して説明するが、本発明において携帯端末１は、ＰＨＳ（Personal Handy-phone System）、ＰＤＡ（Personal Data Assistance，Personal Digital Assistants：個人向け携帯型情報通信機器）、タブレット端末、パーソナルコンピュータ、ゲーム端末、電子辞書、カーナビゲーションなど、いかなる情報処理装置であってもよい。
【００１５】
図１（Ａ）に示すように、携帯端末１は、表面にタッチパネル型表示装置１０を備えている。このタッチパネル型表示装置１０は、例えば、静電型タッチパネルといった操作者による接触入力を受け付ける入力装置と、液晶パネルや有機ＥＬなどの表示装置と、を備えており、表示装置の表示面がタッチパネルの入力装置を構成しているものである。
【００１６】
また、携帯端末１は、図２に示すように、上記タッチパネル型表示装置１０を構成する表示装置に対する表示状態を制御する表示制御部２１（制御装置）を備えている。この表示制御部２１は、上記CPU１５に接続されており、後述するように検出された操作者に位置（特定位置）に応じて、タッチパネル型表示装置１０の表示画面に表示されるアイコンなどの表示データの表示状態を制御するものである。なお、表示制御部２１は、CPU１５にプログラムが組み込まれることによって構築されていたり、あるいは、専用の演算装置によって構築されている。
【００１７】
また、携帯端末１は、図２に示すように、上記タッチパネル型表示装置１０を構成する入力装置に対する接触入力を検出する入力検出部（接触検出部）２２を備えている。そして、入力検出部２２は、上記CPU１５に接続されており、後述するように、表示画面に表示されるアイコンなどの表示データの表示箇所に対する接触入力を検出して受け付ける。つまり、入力検出部２２は、表示データの表示面積や表示範囲などの表示領域が変化すると、その表示範囲内に対して行われた接触入力を検出する機能を有する。なお、入力検出部２２は、CPU１５にプログラムが組み込まれることによって構築されていたり、あるいは、専用の演算装置によって構築されている。
【００１８】
また、図１（Ａ）に示すように、携帯端末１は、タッチパネル型表示装置１０が設けられた一方の面に、画像を撮影するカメラセンサ部１１を備えている。カメラセンサ部１１は、例えば、ＣＣＤイメージセンサやＣＭＯＳセンサなどの撮像素子である。これに伴い、携帯端末１は、図２に示すように、カメラセンサ部１１である撮像素子を制御する回路であるカメラ制御部１０を備えている。このカメラ制御部１０は、撮像した画像データをCPU１５に送り、当該CPU１５にて、後述するように、画像データのデータ内容から操作者の位置を、特定位置として検出する。つまり、カメラセンサ部１１、カメラ制御部２３、CPU１５は、協働して、操作者の位置を検出する位置検出手段として機能する。なお、ここでは、撮像した画像データ内に人物が存在する場合に、かかる人物を操作者と認識してその位置を特定位置として検出するが、画像データ内から他の物体を検出して、その位置を特定位置として検出してもよい。
【００１９】
また、携帯端末１は、図１（Ｂ）に示すように、タッチパネル型表示装置１０が装備された面とは反対側の面に、近接センサ部１２を備えている。この近接センサ部１２は、物体との距離を検出するセンサであり、例えば、物体との距離が基準値以下である場合には、デスクＤなどの台や壁といった平面に、携帯端末１が接しているとことを検出して、CPU１５に通知する。
【００２０】
さらに、携帯端末１は、内部に、３軸加速度センサ部１３を備えている。この３軸加速度センサ１３は、地球の引力に対する３軸方向の携帯端末１の加速度を検出することにより、携帯端末１の水平面に対する傾斜角度を検出して、CPU１５に通知する。
【００２１】
そして、CPU１５は、上記近接センサ部１２にて携帯端末１が物体と接触していることを検出し、かつ、上記３軸加速度センサ部１３にて検出した携帯端末１の傾斜角度が水平状態であると判断すると、携帯端末１が所定の台の上に水平に載置されている状態にあることを検出する。つまり、近接センサ部１２と、３軸加速度センサ部１３と、CPU１５とは、協働して、携帯端末１が水平状態であることを検出する水平状態検出手段として機能する。
【００２２】
なお、本発明における水平状態とは、上述した３軸加速度センサ部１３にて検出した携帯端末１の水平面に対する傾斜角度が、予め設定された範囲内（例えば、水平面に対して傾斜角度５度の範囲内）である場合も含むこととする。また、携帯端末１が水平状態であると判断する条件は、必ずしも台などの物体に載置されている必要はない。つまり、携帯端末１は、必ずしも近接センサ部１２を備えていることに限定されない。また、携帯端末１が水平状態であることを検出する手段は、上述した構成にて実現することに限定されず、他の構成にて実現してもよい。
【００２３】
次に、上述したカメラセンサ部１１等による位置検出手段の詳細な機能について説明する。カメラセンサ部１１やCPU１５にて構成された位置検出手段は、カメラセンサ部１１にて撮像した画像データの画像認識処理を行い、操作者がどの方向に位置するかを識別する。具体的に、本実施形態では、図３に示すように、まず携帯端末１の上端側に設けられたカメラセンサ部１１にて、図３及び図４に示す符号Ｒに示す範囲の画像データが取得される。その後、RAM１７内にてCPU１５により画像データに対する画像認識処理が実行され、人物（顔）の検出処理が実行される。例えば、予め記憶された人間の顔特徴データとマッチングしたり、統計的手法によって人間の目や口などの特徴ある部分を検出する。これにより、外形が略矩形である携帯端末１のどの方向の端部側に操作者Ｕが位置しているか、つまり、特定位置を検出する。
【００２４】
例えば、画像データが、図４（Ｂ）の撮影範囲Ｒに示す画像であった場合には、操作者Ｕの顔を下端側に検出しているため、当該操作者Ｕは図３に示すように携帯端末１に対して水平方向に位置し、図４（Ａ）の下側の端部側に位置している、として検出する。なお、図４（Ｂ）の撮影範囲Ｒ内においては、操作者Ｕが、特定の方向の端部側に位置する場合には、各端部側であって携帯端末１の水平方向に位置すると検出し、撮影範囲Ｒ内の中央に操作者Ｕが位置する場合には、当該操作者Ｕは携帯端末１の鉛直上にいると検出する。
【００２５】
なお、上述した操作者Ｕの位置を検出は、必ずしも撮影した画像を用いて行うことに限定されない。赤外線センサなど人物を検知できる他の構成を用いて実現してもよい。また、画像を用いずに他の構成にて、人物以外の物体を検出して、その位置を特定位置として検出してもよい。
【００２６】
そして、上記表示制御部２１は、上述したように、携帯端末１が水平状態に載置され、操作者Ｕが携帯端末１に対して水平方向の特定の方向に位置していることを検出すると、タッチパネル型表示装置１０の表示画面の表示状態を変化させて表示する。具体的に、表示制御部２１は、まず、操作者Ｕが位置する携帯端末１の特定の方向の端部側から表示画面を視認していると認識し、かかる端部側が表示画面の下側となるようタッチパネル型表示装置１０に表示する表示データの表示向きを変更する。そして、表示制御部２１は、さらに、検出した操作者Ｕの位置（特定位置）からタッチパネル型表示装置１０の表示画面上における表示データが占める表示領域までの距離に応じて、表示データの表示状態を変化させる。特に、本実施形態では、操作者Ｕが位置する携帯端末１の特定の方向の端部から、表示画面の各表示位置における距離が長くなるにつれて、アイコンや画面全体の表示状態を変化させて表示する。
【００２７】
ここで、本実施形態における表示制御部２１による、表示画面に表示する表示データの表示状況を変化させたときの一例を、図５及び図６に示す。まず、図５の例では、表示制御部２１は、通常の表示状態として、図５（Ａ）に示すようにタッチパネル型表示装置１０の表示画面に矩形形状のアイコン２０を複数表示するよう制御する。このとき、図５（Ａ）の下端側に表示データの下側が向くような表示向きで表示されていることとする。かかる状態から、携帯端末１がデスクＤなどに載置されて水平状態となり、図５（Ｂ）に示すように、操作者Ｕの位置が携帯端末１に対して水平かつ特定の端部（下端）側に位置していると検出されると、まず、下端側の矢印の方向から操作者Ｕが見ていると判断し、かかる端部側が表示画面の下側となるようタッチパネル型表示装置１０に表示するデータの表示向きを変更する。但し、図５（Ｂ）の例では、図５（Ａ）に対して表示向きの変更はない。なお、上記では、アイコン２０の形状を矩形形状と記載しているが、以降、正方形として説明を進める。但し、アイコン２０の形状は、矩形形状に限定されるものではなく、例えば円形であってもよく、いかなる形状であってもよい。
【００２８】
そして、さらに、表示制御部２１は、図５（Ｂ）に示すように、表示画面に表示されている表示データである正方形の各アイコン２０の表示形状を、携帯端末１の特定の端部からの距離が長くなるにつれて大きくなるよう台形形状に変更して表示する。つまり、通常表示の場合と比較して、個々のアイコン２０については、操作者Ｕ側に位置する幅を短く、操作者Ｕから遠くに位置する幅を長く表示した台形形状として表示形状を変更して表示する。そして、操作者Ｕから遠くに位置するアイコン２０ほど、台形の表示サイズを拡大して表示する。これにより、各アイコン２０は、操作者Ｕが遠近感をより強く感じられるよう表示され、操作者Ｕは、より遠くに位置するアイコン２０を視認しやすくなる。なお、ここでは、アイコン２０の表示位置と携帯端末１の端部からの距離に応じて、アイコン２０の形状を台形形状に形状変更する例を説明するが、アイコン２０の表示位置に応じて、台形ではなく平行四辺形類似の形状に形状変更を行ってもよい。
【００２９】
表示制御部２１の具体的な処理としては、まず、操作者が位置する携帯端末１の特定の端部から各アイコン２０までの距離の方向を特定し、かかる距離方向に対する各アイコン２０の相対的位置を決定する。例えば、携帯端末１の特定の端部に対して、距離方向に対し最遠となる位置、最近となる位置にそれぞれ存在するアイコン２０を、それぞれ、遠位にあるアイコン２０、近位にあるアイコン２０と判断する。なお、携帯端末１の特定の端部に対して平行的に表示されたアイコンは、いずれも距離方向に対して等しい位置にあるとみなしてもよい。そして、それぞれのアイコン２０が有する特定の端部に対する相対的距離に応じて、それぞれのアイコン２０に対する表示態様の変更処理を行う。この表示態様の変更処理とは、例えば、上述したように各アイコン２０が台形となるよう形状変更を行い、次いで、当該各アイコン２０のデータサイズの比率を、遠位から近位にかけて縮小して、あるいは、近位から遠位にかけて拡大するなど、サイズ変更を行って表示する処理である。あるいは、表示態様の変更処理では、上述した形状変更と拡大縮小処理のいずれか単独の処理のみを行ってもよい。
【００３０】
なお、図５（Ｂ）のアイコン２０の表示状態の変化は一例であって、別の形状に変形して表示してもよい。また、必ずしもアイコン２０の大きさを変化させることに限定されず、他の実施形態にて説明するように、アイコン２０に付加される画像要素を変化させてもよい。さらに、上記では、それぞれのアイコン２０の形状を変化させて表示させる場合を例示したが、図６（Ａ）に示すように、タッチパネル型表示装置１０全体に表示されている表示データ２０’を、図６（Ｂ）に示すように、画面全体ごと操作者Ｕが位置する端部側の幅が徐々に短くなるよう表示し、かかる端部側よりも反対側の端部側の幅が長くなるよう表示する、ことも可能である。つまり、上述同様に、携帯端末１の特定の端部から画面に対する距離の方向における、当該画面全体の遠位と近位との位置を決定し、画面全体が台形となるよう、当該画面全体のデータサイズの比率を、遠位から近位にかけて縮小して、あるいは、近位から遠位にかけて拡大して表示する。
【００３１】
また、上述したようにアイコン２０を台形等に形状変化させて表示させたことに対応して、入力検出部２２は、アイコン２０に対する接触入力を検出する範囲を変更する処理を行う。つまり、入力検出部２２は、図５（Ａ）に示す通常表示状態では、正方形であるアイコン２０上で接触入力を検出すると、かかる接触入力を受け付けるが、図５（Ｂ）の変更表示後においては、台形であるアイコン２０の形状の範囲内に対する接触入力を検出して、かかる入力を受け付ける。
【００３２】
なお、上述した表示制御部２１による表示状態の変更処理は、携帯端末１のタッチパネル型表示装置１０が水平状態に位置していない時であっても、操作者Ｕの位置に応じて実行されてもよい。
【００３３】
［動作］
次に、上述した構成の携帯端末１の動作を、図７のフローチャートを参照して説明する。まず、携帯端末１の背面に配置された近接センサ１２にて、近接物との距離を検出する。近接物との距離が予め設定された閾値より近い場合は、携帯端末１は近接物に接触していると判断する（ステップＳ１でＹｅｓ）。
【００３４】
次に、携帯端末１が装備する３軸加速度センサ１３による検出値から、携帯端末１の設置角度を検出する。携帯端末１の設置角度が地球の重力方向と直角の角度に対して予め設定された閾値内である場合は、携帯端末１は水平に設置されていると判別する（ステップＳ２でＹｅｓ）。
【００３５】
そして、上述したように、携帯端末１が近接物に接触し、かつ、水平に設置された状態で、タッチパネル型表示装置１０に対する接触入力（押下）があった場合に（ステップＳ３でＹｅｓ）、携帯端末１の表面に設置されたカメラセンサ部１１を動作させる（ステップＳ４）。そして、カメラセンサ部１１にて取得された撮像情報は、カメラ制御部２３にて２次元の画像データに変換され出力される（ステップＳ４）。
【００３６】
その後、カメラ制御部２３から出力された画像データは、RAM１７に送られ、CPU１５により画像認識処理を行い、操作者Ｕの位置が携帯端末１のどの方向に位置するかを識別する。このとき、操作者Ｕの位置が、撮影した画像データの中央部にあると識別された場合には、操作者Ｕは携帯端末１の鉛直上にいると判別する。一方、画像データ内で操作者Ｕが携帯端末１の特定の方向の端部に位置する場合は、操作者Ｕは携帯端末１の特定の方向の水平に近い位置から操作していると識別する（ステップＳ５でＹｅｓ）。例えば、図４（Ｂ）の例では、撮影範囲Ｒの画像データ内における操作者Ｕの位置は下端側にあるため、当該操作者Ｕの位置は携帯端末１の下端部側であり、図４（Ａ）に示すように、水平に置かれた携帯端末１を水平面上から矢印の方向に操作していると識別する。
【００３７】
そして、上述したように識別した操作者Ｕの位置に基づき、タッチパネル型表示装置１０の表示画面に対する表示状態を変更する（ステップＳ６）。例えば、図５（Ｂ）の矢印に示すように、携帯端末１の下端側に操作者Ｕが位置すると識別できた場合には、まず、携帯端末１の下端側が表示画面の下側となるよう表示向きを変更する。そして、図５（Ａ）の通常表示状態と比較して、操作者Ｕ側つまり操作者Ｕの手前側に位置する画面表示の下側の幅方向の長さを短く、また、操作者Ｕよりも離れた奥側に位置する画面表示の上側の幅方向の長さを長くした台形の表示画面に変更する。これにより、操作者Ｕは、遠くに位置する画面表示をより見やすくなる。
【００３８】
さらに、上述した画面表示処理に従って、タッチパネル型表示装置１０に対する接触入力を検出する操作エリアも、上記表示エリアに対応して台形に変更する（ステップＳ７）。これにより、操作者Ｕは、画面表示に対応した操作が可能となり、操作がしやすくする。
【００３９】
以上説明したように、本発明によると、携帯端末１を机上などに水平に設置された状態で、操作者Ｕが携帯端末１を水平方向から目視した場合であっても、表示内容に遠近感がより強く反映されて表示されるため、操作者Ｕは表示内容を確認しやすくなり、操作性も向上する。
【００４０】
＜実施形態２＞
次に、本発明の第２の実施形態を、図８を参照して説明する。図８は、本実施形態における携帯端末の表示画面の表示例を示す図である。
【００４１】
本実施形態における携帯端末１は、上述した実施形態１のものとほぼ同様の構成を取っているが、表示制御部２１による操作者Ｕの位置に応じた変更表示の方法が異なる。本実施形態における表示制御部２１は、上述したように、携帯端末１が水平状態に載置され、操作者Ｕが携帯端末１に対して水平方向の特定の方向に位置していることを検出すると、検出した操作者Ｕの位置からタッチパネル型表示装置１０の表示画面上における表示データの表示位置までの距離に応じて、アイコン２０や画面全体の表示色の濃度や輝度を変化させて表示する。
【００４２】
例えば、図５（Ａ）で説明した通常表示状態に対して、図８（Ａ）に示すように、携帯端末１の下端側（矢印位置）に操作者Ｕの位置を識別できた場合には、操作者Ｕから近くに位置するアイコン２０の表示濃度を淡く、遠くに位置するアイコン２０の表示濃度を濃く表示する。なお、各アイコン２０内で、下側から上側に位置するにつれて表示濃度が濃くなるよう変化させて表示してもよく、タッチパネル型表示装置１０の表示画面全体で、下側から上側に位置するにつれて表示濃度が濃くなるよう変化させて表示してもよい。また、上記とは逆に、操作者Ｕから近くに位置する側の表示濃度を濃く、遠くに位置する側の表示濃度を淡く表示してもよい。
【００４３】
さらに、表示画面の輝度も同様に、操作者Ｕからの距離に応じて変化させてもよい。例えば、操作者Ｕから近くに位置する側の輝度を暗く、遠くに位置する側の輝度を明るく、あるいは、その逆に表示してもよい。
【００４４】
また、図８（Ｂ）は、実施形態１で形状及び大きさを変形させて表示したアイコン２０の表示濃度を、図８（Ａ）と同様に操作者Ｕからの位置に応じて変化させて表示させたときの例である。
【００４５】
このようにしても、携帯端末１を机上などに水平に設置された状態で操作者Ｕが携帯端末１を水平方向から目視した場合であっても、表示内容に遠近感がより強く反映されて表示されるため、操作者Ｕは表示内容を確認視野やすくない、操作性も向上する。
【００４６】
＜実施形態３＞
次に、本発明の第３の実施形態を、図９を参照して説明する。図９は、本実施形態における携帯端末の表示画面の表示例を示す図である。
【００４７】
本実施形態における携帯端末１は、上述した実施形態１のものとほぼ同様の構成を取っているが、表示制御部２１による操作者Ｕの位置に応じた変更表示の方法が異なる。本実施形態における表示制御部２１は、上述したように、携帯端末１が水平状態に載置され、操作者Ｕが携帯端末１に対して水平方向の特定の方向に位置していることを検出すると、検出した操作者Ｕの位置からタッチパネル型表示装置１０の表示画面上における表示データの表示領域までの距離に応じて、各アイコン２０の表示領域の近傍に表示した陰影表示が占める表示領域や立体表示の高さを変化させて表示する。
【００４８】
例えば、表示制御部２１は、図５（Ａ）で説明した通常表示状態に対して、図９（Ａ）に示すように、携帯端末１の下端側（矢印位置）に操作者Ｕの位置を識別できた場合には、操作者Ｕから近くに位置するアイコン２０の背後の下側に黒色の陰影表示を小さく（浅く）表示し、遠くに位置するアイコン２０の背後の下側に黒色の陰影表示を大きく（深く）表示する。また、図９（Ｂ）は、実施形態１で形状及び大きさを変形させて表示したアイコン２０に、図９（Ａ）と同様に操作者Ｕからの位置に応じて大きさの異なる陰影表示を表示させたときの例である。
【００４９】
具体的に表示制御部２１は、上述した各アイコン２０の表示態様の変更処理と同様に、その陰影表示の表示領域も変更させて表示する。つまり、携帯端末１の特定の端部から各アイコン２０までの距離の方向を特定し、かかる距離方向に対する各アイコン２０の相対的位置を決定する。例えば、携帯端末１の特定の端部に対して、距離方向に対して最遠となる位置、最近となる位置にそれぞれ存在するアイコン２０を、それぞれ、遠位にあるアイコン２０、近位にあるアイコン２０と判断する。なお、携帯端末１の特定の端部に対し平行的に表示されたアイコンはいずれも距離方向に対して等しい位置にあるとみなしてもよい。そして、それぞれのアイコン２０が有する特定の端部に対する相対的距離に応じて、それぞれのアイコン２０に対する陰影表示の変更処理を行う。この陰影表示の変更処理とは、例えば、上述したように各アイコン２０と同様に台形となるよう、当該各アイコン２０の陰影表示のデータサイズの比率を、遠位から近位にかけて縮小して、あるいは、近位から遠位にかけて拡大するなど、陰影表示自体のサイズ変更を行って表示する処理である。
【００５０】
なお、図９では、アイコン２０の下側に陰影表示を行った場合を例示したが、陰影表示に替えて、アイコン２０に立体的な視覚効果を発揮させる立体表示を行ってもよい。つまり、携帯端末１が水平に配置され当該端末１に対する操作者Ｕの位置を識別できた場合には、当該操作者Ｕからの距離が遠くに位置するほど高さが高く表示されるような立体表示を、アイコン２０の背後の下側に付随して表示してもよい。
【００５１】
このようにしても、携帯端末１を机上などに水平に設置された状態で操作者Ｕが携帯端末１を水平方向から目視した場合であっても、表示内容に遠近感がより強く反映されて表示されるため、操作者Ｕは表示内容を確認視野やすくない、操作性も向上する。
【００５２】
＜実施形態４＞
次に、本発明の第４の実施形態を、図１０乃至図１１を参照して説明する。図１０は、本実施形態における携帯端末の表示画面の表示例を示す図であり、図１１は、携帯端末の動作を示すフローチャートである。
【００５３】
本実施形態における携帯端末１は、上述した実施形態１のものとほぼ同様の構成を取っているが、操作者Ｕの位置を常に検出し、変更した操作者Ｕの位置に応じて上述した各実施形態のように変更表示する、という点で異なる。
【００５４】
上述した実施形態１では、携帯端末１が水平状態に配置されたことを検出し（図７のステップＳ１，Ｓ２）、タッチパネル型表示装置１０に対する押下が検出された場合に（図７のステップＳ３））、カメラを作動させて操作者Ｕの位置を検出して表示制御を行っていた（図７のステップＳ４−Ｓ７）。これに対して、本実施形態では、携帯端末１が水平状態に配置されたことを検出すると（図１１のステップＳ１１，Ｓ１２）、カメラを作動させて（図１１のステップＳ１３）、撮像した画像データ内に操作者Ｕが存在するかを判断する（図１１のステップＳ１４）。このとき、例えば、画像データに対する画像認識処理を行い、画像データ内に存在する顔の輪郭、目、鼻、口などのパーツを予め設定された基準に基づいて抽出することで、人物の顔の存在を検出し、操作者Ｕが存在することを判断する。その後は、実施形態１と同様に、携帯端末１に対する操作者Ｕの位置を検出して、かかる位置に対応して表示制御を行う（図１１のステップＳ１５−Ｓ１７）。
【００５５】
ここで、本実施形態における表示画面に表示する表示データの表示状況を変化させたときの一例を、図１０を参照して説明する。まず、図１０（Ａ）に示すように、操作者Ｕが携帯端末１の下端側（矢印参照）に位置していることを検出した場合には、上述した実施形態１と同様に、表示画面に表示されている表示データである矩形形状の各アイコン２０を、携帯端末１の特定の端部からの距離が長くなるにつれて大きくなるよう台形形状に変形して表示している。この状態で、操作者Ｕが携帯端末１の右端側に移動した場合には、まず、携帯端末１は、カメラセンサ部１１にて常に撮影されている画像データから、操作者Ｕが携帯端末１の右端側に位置していることを検出する。
【００５６】
すると、携帯端末１では、図１０（Ｂ）の矢印に示すように、携帯端末１の右端側から操作者Ｕが見ていると判断し、かかる端部側が表示画面の下側となるようタッチパネル型表示装置１０に表示する表示データの表示向きを変更する。つまり、図１０（Ａ）に示す表示画面の表示を、反時計回りに９０度回転させて、図１０（Ｂ）に示す向きに表示する。そして、この場合にも、表示画面に表示されている表示データである正方形の各アイコン２０を、携帯端末１の特定の端部からの距離が長くなるにつれて大きくなるよう台形形状に変形して表示する。なお、操作者Ｕからの距離に応じた表示データの変更表示は、上述した各実施形態で説明したように行ってもよい。
【００５７】
＜実施形態５＞
次に、本発明の第５の実施形態を、図１２乃至図１５を参照して説明する。図１２は、本実施形態における携帯端末の外観構成を示す図である。図１３乃至図１４は、携帯端末による操作者を認識する動作を説明する図である。図１５は、携帯端末の動作を示すフローチャートである。
【００５８】
本実施形態における携帯端末１は、上述した各実施形態のものとほぼ同様の構成を取っているが、図１２に示すように、カメラセンサ部１１ａを携帯端末１の下端部に位置する側面に装備している点で異なる。このように、カメラセンサ部１１ａを携帯端末１の特定の側面に装備していることで、図１３に示すように、携帯端末１の特定の側面方向のみが撮像範囲Ｒとなり、図１４（Ｂ）に示すような画像データが撮影されることとなる。なお、画像データの撮影は、上述した実施形態４と同様に、携帯端末１が水平状態に配置されたことを検出すると（図１５のステップＳ２１，Ｓ２２）、カメラを作動させて行われる（図１５のステップＳ２３）。
【００５９】
その後は、上記実施形態４と同様に、撮像した画像データ内に操作者Ｕが存在するかを判断する（図１５のステップＳ２４）。このとき、例えば、画像データに対する画像認識処理を行い、画像データ内に存在する顔の輪郭、目、鼻、口などのパーツを抽出することで、人物の顔の存在を検出し、操作者Ｕが存在することを判断する。これにより、カメラセンサ部１１ａが装備されている側面方向の端部側に操作者Ｕが位置すると判断して、かかる位置に対応して図１４（Ａ）に示すように、表示制御を行う（図１５のステップＳ２５，Ｓ２６）。なお、操作者Ｕからの距離に応じた表示データの変更表示は、上述した各実施形態で説明したように行ってもよい。
【００６０】
ここで、上記では、カメラセンサ部１１ａを携帯端末１の４つの側面のうち下端に位置する側面のみに装備した場合を例示したが、他の側面に装備してもよい。あるいは、複数の側面にカメラセンサ部１１ａを装備してもよい。その場合には、操作者Ｕを検出したカメラセンサ部１１ａが装備されている側面を特定し、かかる側面の端部側に操作者Ｕが位置することとして、上述同様の表示変更を行う。
【００６１】
＜実施形態６＞
次に、本発明の第６の実施形態を、図１６乃至図１７を参照して説明する。図１６は、携帯端末による操作者を認識する動作を説明する図である。図１７は、携帯端末の表示画面の表示例を示す図である。
【００６２】
本実施形態における携帯端末１は、上述した各実施形態のものとほぼ同様の構成を取っているが、表示制御部２１による操作者Ｕの位置に応じた変更表示の方法が異なる。本実施形態における表示制御部２１は、上述したように、携帯端末１が水平状態に載置され、操作者Ｕが携帯端末１に対して水平方向の特定の方向に位置していることを検出すると、操作者Ｕの位置からの距離に応じて表示状態を変化させると共に、当該操作者Ｕとタッチパネル型表示装置１０の表示面に対する角度に応じても、表示状態を変化させる。
【００６３】
ここで、図１６に示すように、操作者の位置が、符号Ｕａと符号Ｕｂとに示す位置であるとする。この場合、操作者Ｕａから表示データの表示位置への視線Ｌａは、表示画面に対して角度αとなり、一方、操作者Ｕｂから表示データの表示位置への視線Ｌｂは、表示画面に対して角度βとなり、異なる。すると、操作者Ｕａの方が操作者Ｕｂよりも表示画面に対する視線の角度が小さいため、通常は操作者Ｕａの方が表示データを視認しにくくなる。
【００６４】
このような状況に応じて、本実施形態における携帯端末１は、まず、カメラセンサ部１１にて撮像した画像データに存在する顔の輪郭、目、鼻、口などのパーツを、予め設定された基準に基づいて抽出して、操作者Ｕａ，Ｕｂの顔の携帯端末１に対する高さ位置を特定する。このとき、特に、操作者Ｕａ，Ｕｂの目の高さ位置を検出する。そして、検出した操作者Ｕａ，Ｕｂの高さ位置に基づいて、操作画面に対する各操作者Ｕａ，Ｕｂの角度を特定し、角度に応じた表示制御を行う。
【００６５】
例えば、図１７（Ａ），（Ｂ）に示すように、各操作者Ｕａ，Ｕｂに対しては、上記実施形態２で説明したように、それぞれ操作者からの距離が長くなるほどアイコン２０に付随する陰影表示を大きく表示するが、その陰影表示の大きさの変化の度合いを、操作者Ｕａ，Ｕｂの角度に応じて変える。つまり、表示画面上の同一位置に表示されるアイコン２０に陰影表示を行う場合には、表示画面に対する角度が小さい操作者Ｕａに対する陰影表示（図１６（Ａ））の方が、操作者Ｕａよりも表示画面に対する角度が大きい操作者Ｕｂに対する陰影表示（図１６（Ｂ））よりも大きくなる表示する。これにより、操作者Ｕａは、表示画面に対する視線の角度が小さいが、より表示データを視認しやすくなる。
【００６６】
なお、上記では、陰影表示の大きさを角度によって変更させる場合を例示したが、上述した他の実施形態のように、表示データの大きさや形状を変化させたり、表示色の濃淡などを、表示画面に対する操作者の位置の角度に応じて変えてもよい。
【００６７】
＜実施形態７＞
次に、本発明の第７の実施形態を、図１８を参照して説明する。図１８は、携帯端末による操作者を認識する動作を説明する図である。
【００６８】
本実施形態における携帯端末１は、上述した各実施形態のものとほぼ同様の構成を取っているが、カメラセンサ部１１にて撮像した画像データから、予め設定された特定の操作者Ｕの位置を特定する機能を有する点に特徴を有する。
【００６９】
例えば、図１８（Ａ）の矢印Ｕ，Ｕ’に示すように、携帯端末１の下端側に操作者Ｕが位置し、左端側にも他の操作者Ｕ’が位置する場合には、図１８（Ｂ）に示すように、カメラセンサ部１１にて撮像した画像データ中に２人の操作者Ｕ，Ｕ’が存在することとなる。このような場合に、携帯端末１（位置検出手段）は、一人の操作者Ｕを特定する。例えば、画像データに存在する全ての顔の輪郭、目、鼻、口などのパーツを予め設定された基準に基づいて抽出して、特定のパーツや顔の輪郭の最も大きい操作者を特定する。図１８（Ｂ）の場合には、下端側に位置する操作者Ｕを特定する。その後は、図１８（Ａ）に示すように、特定した操作者Ｕの位置に応じて、アイコン２０の変更表示を行う。
【００７０】
なお、画像データ内から一人の操作者Ｕを特定するルールは予め設定されているが、他のルールにより操作者Ｕを特定してもよい。例えば、予め設定された時間内において、最後に画像データに存在する操作者の位置を特定したり、予め顔特徴データが記憶されている特定の操作者の位置を特定するなどしてもよい。さらには、画像データ内に存在する操作者のまばたきなどの動作を検出し、かかる動作を行った操作者の位置を特定してもよい。
【００７１】
＜実施形態８＞
次に、本発明の第８の実施形態を、図１９を参照して説明する。図１９は、携帯端末による操作者を認識する動作を説明する図である。
【００７２】
本実施形態における携帯端末１は、上述した各実施形態のものとほぼ同様の構成を取っているが、入力検出部２２が、操作者Ｕの位置からタッチパネル型表示装置１０の距離に応じて、当該タッチパネル型表示装置１０に対する接触入力の感度を変更する機能を有する点で異なる。
【００７３】
例えば、図１９に示すように、携帯端末１の下端側（矢印参照）に操作者Ｕが位置すると検出された場合には、まず、上述したように、操作者Ｕの位置からの距離に応じて表示状態が変化されるが、これと共に、操作者Ｕの位置からの距離が遠くなるにつれて接触入力を検出する感度Ｓが高くなるよう設定される。なお、図１９の符号Ｓに示す点線は、接触入力の感度Ｓの高さを視覚的に表したものである。
【００７４】
これにより、例えば操作者Ｕは、タッチパネル型表示装置１０の近くに位置する箇所に対しては、通常通りの押圧力でタッチパネルを押圧して入力を行うが、携帯端末１の上端付近など遠くに位置する箇所に対しては、それよりも小さい押圧力、例えば、軽く触れる程度で、入力できるようになる。
【００７５】
ここで、上記実施形態３で説明したように、タッチパネル型表示装置１０に表示するアイコン２０に対して操作者Ｕの位置からの距離が遠くになるにつれて、陰影表示を大きく表示したり、立体表示の高さを高く表示したときに、上述したように、操作者Ｕの位置からの距離が遠くなるにつれて接触入力を検出する感度Ｓが高くなるよう設定するとよい。これにより、操作者１０は、遠くに位置する表示データほど表示画面よりも上方に位置しているような視覚的感覚を得ると共に、かかる表示データに対する押下入力などの操作が軽い接触でできるため、視覚的感覚と操作感覚とが一致し、操作性の向上を図ることができる。
【００７６】
＜付記＞
上記実施形態の一部又は全部は、以下の付記のようにも記載されうる。以下、本発明における情報処理端末（図２０参照）、プログラム、表示制御方法の構成の概略を説明する。但し、本発明は、以下の構成に限定されない。
【００７７】
（付記１）
タッチパネル型表示装置１１０と、
前記タッチパネル型表示装置１１０に対する表示状態を制御する制御装置１２０と、
前記タッチパネル型表示装置１１０に対する特定位置を検出する位置検出手段１３０と、を備え、
前記制御装置１２０は、前記位置検出手段１３０にて検出した特定位置と前記タッチパネル型表示装置１１０上における表示データが占める表示領域との距離に応じて、当該表示データの表示状態を変化させる表示制御部１２１を備えた、
情報処理端末１００。
【００７８】
（付記２）
付記１に記載の情報処理端末であって、
前記表示制御部は、前記特定位置から前記表示データに対する前記距離の方向における前記表示領域上の遠位及び近位となる位置を決定し、前記遠位から前記近位にかけて表示状態を異ならせて表示する、
情報処理端末。
【００７９】
（付記３）
付記２に記載の情報処理端末であって、
前記表示制御部は、前記タッチパネル型表示装置に表示される複数個の表示データそれぞれが占める前記表示領域上の、前記距離の方向における遠位及び近位となる位置を決定する、
情報処理端末。
【００８０】
（付記４）
付記２又は３に記載の情報処理端末であって、
前記表示制御部は、前記表示データのデータサイズの比率を、前記遠位から前記近位にかけて縮小して表示、あるいは、前記近位から前記遠位にかけて拡大して表示する、
情報処理端末。
【００８１】
（付記５）
付記１乃至４のいずれかに記載の情報処理端末であって、
前記表示制御部は、前記タッチパネル型表示装置に表示される表示データの表示領域の近傍に表示する陰影表示データが占める表示領域を、前記距離に応じて変更する、
情報処理端末。
【００８２】
（付記６）
付記１乃至５のいずれかに記載の情報処理端末であって、
前記表示制御部は、前記タッチパネル型表示装置に表示される表示データの表示領域の近傍に表示する立体表示の高さを、前記距離に応じて変更する、
情報処理端末。
【００８３】
（付記７）
付記１乃至６のいずれかに記載の情報処理端末であって、
前記表示制御部は、前記タッチパネル型表示装置に表示される表示データの表示色の濃度を、前記距離に応じて変更する、
情報処理端末。
【００８４】
（付記８）
付記１乃至７のいずれかに記載の情報処理端末であって、
前記表示制御部は、前記タッチパネル型表示装置に表示される表示データの表示色の輝度を、前記距離に応じて変更する、
情報処理端末。
【００８５】
（付記９）
付記１乃至８のいずれかに記載の情報処理端末であって、
前記表示制御部は、前記タッチパネル型表示装置の表示面に対する、前記位置検出手段にて検出した前記特定位置から前記タッチパネル型表示装置上における表示データの表示位置への角度に応じて、当該表示データの表示状態を変化させて表示する、
情報処理端末。
【００８６】
（付記１０）
付記１乃至９のいずれかに記載の情報処理端末であって、
前記制御装置は、前記タッチパネル型表示装置に対する接触入力を検出する接触検出部を備え、
前記接触検出部は、前記表示制御部による前記表示データの表示状態の変化に応じて当該表示データに対する接触入力を検出する範囲を変更する、
情報処理端末。
【００８７】
（付記１１）
付記１乃至１０のいずれかに記載の情報処理端末であって、
前記制御装置は、前記タッチパネル型表示装置に対する接触入力を検出する接触検出部を備え、
前記接触検出部は、前記位置検出手段にて検出した前記特定位置と前記タッチパネル型表示装置上における表示データの表示位置との距離に応じて、前記タッチパネル型表示装置に対する接触入力を検出する感度を変更する、
情報処理端末。
【００８８】
（付記１２）
付記１乃至１１のいずれかに記載の情報処理端末であって、
前記タッチパネル型表示装置の表示面が予め設定された基準における水平状態であることを検出する水平状態検出手段を備え、
前記表示制御部は、前記水平状態検出手段にて前記タッチパネル型表示装置が水平状態である場合に、前記表示データの表示状態を変化させて表示する、
情報処理端末。
【００８９】
（付記１３）
付記１乃至１２のいずれかに記載の情報処理端末であって、
前記位置検出手段は、前記特定位置に存在する予め設定された特定の人物を検出し、
前記表示制御部は、前記位置検出手段によって検出された前記特定の人物の位置と前記タッチパネル型表示装置上における表示データの表示位置との距離に応じて、当該表示データの表示状態を変化させる、
情報処理端末。
【００９０】
（付記１４）
タッチパネル型表示装置を備えた情報処理端末に、
前記タッチパネル型表示装置に対する特定位置を検出する位置検出手段と、
前記タッチパネル型表示装置に対する表示状態を制御すると共に、前記位置検出手段にて検出した特定位置と前記タッチパネル型表示装置上における表示データが占める表示領域との距離に応じて、当該表示データの表示状態を変化させる表示制御部と、
を実現させるためのプログラム。
【００９１】
（付記１５）
付記１４に記載のプログラムであって、
前記表示制御部は、前記特定位置から前記表示データに対する前記距離の方向における前記表示領域上の遠位及び近位となる位置を決定し、前記遠位から前記近位にかけて表示状態を異ならせて表示する、
プログラム。
【００９２】
（付記１６）
タッチパネル型表示装置を備えた情報処理端末が、
前記タッチパネル型表示装置に対する特定位置を検出し、
検出した特定位置と前記タッチパネル型表示装置上における表示データが占める表示領域との距離に応じて、当該タッチパネル型表示装置に対する表示データの表示状態を変化させる、
表示制御方法。
【００９３】
（付記１７）
付記１６に記載の表示制御方法であって、
前記特定位置から前記表示データに対する前記距離の方向における前記表示領域上の遠位及び近位となる位置を決定し、前記遠位から前記近位にかけて表示状態を異ならせて表示する、
表示制御方法。
【００９４】
なお、上記各実施形態及び付記において記載したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００９５】
以上、上記各実施形態を参照して本願発明を説明したが、本願発明は、上述した実施形態に限定されるものではない。本願発明の構成や詳細には、本願発明の範囲内で当業者が理解しうる様々な変更をすることができる。
【００９６】
なお、本発明は、日本国にて２０１１年９月２６日に特許出願された特願２０１１−２０８５６７の特許出願に基づく優先権主張の利益を享受するものであり、当該特許出願に記載された内容は、全て本明細書に含まれるものとする。
【符号の説明】
【００９７】
１  携帯端末
１０  タッチパネル型表示装置
１１  カメラセンサ部
１２  近接センサ部
１３  ３軸加速度センサ
１５  CPU
１６  Flash ROM
１７  RAM
２１  表示制御部
２２  入力検出部
２３  カメラ制御部
１００  情報処理端末
１１０  タッチパネル型表示装置
１２０  制御装置
１２１  表示制御部
１３０  位置検出手段
【図１】
2013046596.tif 000003
【図２】
2013046596.tif 000004
【図３】
2013046596.tif 000005
【図４】
2013046596.tif 000006
【図５】
2013046596.tif 000007
【図６】
2013046596.tif 000008
【図７】
2013046596.tif 000009
【図８】
2013046596.tif 000010
【図９】
2013046596.tif 000011
【図１０】
2013046596.tif 000012
【図１１】
2013046596.tif 000013
【図１２】
2013046596.tif 000014
【図１３】
2013046596.tif 000015
【図１４】
2013046596.tif 000016
【図１５】
2013046596.tif 000017
【図１６】
2013046596.tif 000018
【図１７】
2013046596.tif 000019
【図１８】
2013046596.tif 000020
【図１９】
2013046596.tif 000021
【図２０】
2013046596.tif 000022
【国際調査報告】
2013046596.tif 000023
2013046596.tif 000024
2013046596.tif 000025
2013046596.tif 000026